(57)【要約】    【課題】  遮蔽部材が鏡筒から外れるのを防止すると共に、遮蔽部材と開口部との間にできる隙間からゴミ・ホコリ等の異物が侵入するのを防止し、加えて外観の見た目を良好にし得るファインダー装置を提供する。    【解決手段】  ファインダー装置１０は、装置本体９０と、装置本体９０に取付けられた鏡筒１００と、鏡筒１００の後端に螺合された接眼部１０２と、接眼部１０２側から接眼部１０２及び鏡筒部１００の先端部分に嵌められると共にゴム等の弾性部材で作られた接眼用部材１０４とを備える。鏡筒１００は、視度調節レンズ１０７や固定レンズＡ１０８に付着したゴミを取り除くための開口部１０１を外装に備え、さらに、開口部１０１に嵌められて開口部１０１を遮蔽する遮蔽部材１０３を備える。接眼用部材１０４は、遮蔽部材１０４の位置まで延びている。【選択図】      図１
2006030408.tif 000002
【特許請求の範囲】
【請求項１】
光学部材を中に備え、さらに当該光学部材にアクセスするための開口部を外装に備える鏡筒と、前記開口部を遮蔽する遮蔽部材と、前記鏡筒の後端に結合された接眼部と、前記接眼部及び前記鏡筒の後端部分を覆う接眼用部材とを備えるファインダー装置において、
前記接眼用部材は前記遮蔽部材の一部を覆うことを特徴とするファインダー装置。
【請求項２】
前記遮蔽部材は前記鏡筒に着脱自在であることを特徴とする請求項１記載のファインダー装置。
【請求項３】
前記接眼用部材は、前記接眼部側から前記接眼部及び前記鏡筒の後端部分に着脱自在であることを特徴とする請求項２記載のファインダー装置。
【請求項４】
前記接眼用部材は弾性部材から成ることを特徴とする請求項１乃至３のいずれか１項に記載のファインダー装置。
【請求項５】
光学部材を中に備え、さらに当該光学部材にアクセスするための開口部を外装に備える鏡筒と、前記鏡筒の後端に結合された接眼部と、前記接眼部及び前記鏡筒の後端部分を覆う接眼用部材とを備えるファインダー装置において、
前記接眼用部材は前記開口部を遮蔽することを特徴とするファインダー装置。
【発明の詳細な説明】
【技術分野】
【０００１】
本発明は、撮像装置のファインダー装置に関する。
【背景技術】
【０００２】
撮像装置の従来のファインダー装置は、図示しない撮像装置本体に着脱自在に固定される装置本体９０と、装置本体９０に取付けられた鏡筒１００と、鏡筒１００の後端に螺合された接眼部と、接眼部及び鏡筒部１００の後端部分に嵌められると共にゴム等の弾性部材で作られた接眼用部材１０４と、ファインダー装置の視度を調節するための視度調節レバー１０５と、撮像装置本体と装置本体９０とを電気的に接続するワイヤー１０６とを備える。
【０００３】
このようなファインダー装置は、内部に撮像内容を表示する表示部を有し、この表示部を接眼レンズ等の光学部品を通して接眼部から拡大・縮小して見えるように構成されている。このような構成において、ファインダー装置内部の光学部品等にゴミやホコリ等の異物が付着すると、ファインダー装置を覗いたときに異物が視界に入り、ユーザーに不快感を与える。このようなゴミやホコリ等の異物は、ファインダー装置を組み立てる際にファインダー装置内に入ったり、ファインダー装置の接眼部近傍に備えられた視度調節機構等の摺動部から侵入する。
【０００４】
この問題に対する解決方法としては、まず、ファインダー装置を完全に密封することによりゴミ・ホコリ等の異物の侵入を阻止する方法がある。この方法ならば、ファインダー装置を組み立てた後は、ゴミ・ホコリ等の異物の侵入がなくなる。次に、ファインダー装置の外装に開口部と着脱可能な蓋部材１０３を設け、通常時は蓋をしておき、清掃時には蓋部材１０３を外して清掃を行うという方法がある（例えば、特許文献１参照）。この方法ならば、ファインダー装置を組み立てた後にゴミ・ホコリ等の異物が侵入しても、蓋部材１０３を外し、ブロア等でファインダー装置内部の清掃を行うことができる。
【特許文献１】特開平１１−１０９４４３号公報
【発明の開示】
【発明が解決しようとする課題】
【０００５】
しかしながら、これらの解決方法には、以下のような課題が残されている。
【０００６】
まず、ファインダー装置を完全に密封してゴミ・ホコリ等の異物の侵入を防ぐ前者の方法については、組み立て時の異物の侵入を許さないために、組み立てをクリーンルーム等で行わなければならず、製造環境・製造設備・部品の管理等の点から手間とコストがかかる。さらに、組み立てた後に異物が発見された場合は、ファインダー装置を分解し異物を取り除かなければならないのに加え、ユーザーの手に渡ってしまってからでは、ユーザー自身で異物を取り除くことが困難であるので、サービスセンターに持ち込む等ユーザーに負担がかかる。
【０００７】
次に、ファインダー装置の外装に開口部と着脱可能な蓋部材を設け、清掃時には蓋部材を外して清掃を行うという後者の方法については、通常時蓋を閉めている状態でも蓋と外装との間には隙間があり、そこから細かいゴミやホコリが侵入することがある。さらに、落下等の衝撃で蓋がとれたり、誤って蓋をあけてしまった場合はゴミやホコリ等がファインダー装置内部に侵入する。また、蓋部材を設けることにより部品点数が増え、鏡筒の外装は蓋部材が取り付く構造にしなければならないので、外装の形状が複雑になってコストアップにつながる。さらに、蓋部材は露出することとなるので外観の見た目上も好ましくない。
【０００８】
本発明の目的は、遮蔽部材が鏡筒から外れるのを防止すると共に、遮蔽部材と開口部との間にできる隙間からゴミ・ホコリ等の異物が侵入するのを防止し、加えて外観の見た目を良好にし得るファインダー装置を提供することにある。
【課題を解決するための手段】
【０００９】
上記目的を達成するために、請求項１記載のファインダー装置は、光学部材を中に備え、さらに当該光学部材にアクセスするための開口部を外装に備える鏡筒と、前記開口部を遮蔽する遮蔽部材と、前記鏡筒の後端に結合された接眼部と、前記接眼部及び前記鏡筒の後端部分を覆う接眼用部材とを備えるファインダー装置において、前記接眼用部材は前記遮蔽部材の一部を覆うことを特徴とする。
【００１０】
請求項２記載のファインダー装置は、請求項１記載のファインダー装置において、前記遮蔽部材は前記鏡筒に着脱自在であることを特徴とする。
【００１１】
請求項３記載のファインダー装置は、請求項２記載のファインダー装置において、前記接眼用部材は、前記接眼部側から前記接眼部及び前記鏡筒の後端部分に着脱自在であることを特徴とする。
【００１２】
請求項４記載のファインダー装置は、請求項１乃至３のいずれか１項に記載のファインダー装置において、前記接眼用部材は弾性部材から成ることを特徴とする。
【００１３】
上記目的を達成するために、請求項５記載のファインダー装置は、光学部材を中に備え、さらに当該光学部材にアクセスするための開口部を外装に備える鏡筒と、前記鏡筒の後端に結合された接眼部と、前記接眼部及び前記鏡筒の後端部分を覆う接眼用部材とを備えるファインダー装置において、前記接眼用部材は前記開口部を遮蔽することを特徴とする。
【発明の効果】
【００１４】
請求項１記載のファインダー装置によれば、接眼用部材が開口部を遮蔽する遮蔽部材の一部を覆うので、誤ってファインダー装置を落下させてしまった場合等でも遮蔽部材が鏡筒から外れるのを防止すると共に、遮蔽部材と開口部との間にできる隙間からゴミ・ホコリ等の異物が侵入するのを防止し、加えて外観の見た目を良好にし得る。また、接眼用部材で遮蔽部材を押さえつけることにより、遮蔽部材のロック機構等を廃止することができ、開口部形状も簡略化できるのでコストダウンを図ることができる。
【００１５】
請求項２記載のファインダー装置によれば、遮蔽部材は鏡筒に着脱自在であるので、誤って遮蔽部材を覆っている接眼用部材を外してしまった場合でも、遮蔽部材の脱落を防止することができる。
【００１６】
請求項３記載のファインダー装置によれば、接眼用部材は、接眼部側から接眼部及び鏡筒の後端部分に着脱自在であるので、開口部を介して鏡筒内部の清掃を簡単に行うことができる。
【００１７】
請求項４記載のファインダー装置によれば、接眼用部材は弾性部材から成るので、遮蔽部材の着脱が容易に行うことができる。
【００１８】
請求項５記載のファインダー装置によれば、接眼用部材が開口部を遮蔽するので、遮蔽部材の削減となり、開口部形状も単純なものとできるので、コストダウンを図ることができる。
【発明を実施するための最良の形態】
【００１９】
以下、本発明の実施の形態を図面を参照しながら詳述する。
【００２０】
図１は、本発明の撮像装置のファインダー装置の外観を示す斜視図である。
【００２１】
図１において、撮像装置のファインダー装置１０は、図示しない撮像装置本体に着脱自在である共に撮像装置本体と電気的に接続され、内部に撮像内容を表示する表示部を有し、この表示部を接眼レンズ等の光学部品を介して接眼部から拡大・縮小して見えるように構成されている。
【００２２】
ファインダー装置１０は、装置本体９０と、装置本体９０に取付けられた鏡筒１００と、鏡筒１００の後端に取付けられた接眼部１０２（図３）と、接眼部１０２側から接眼部１０２及び鏡筒部１００の後端部分に嵌められると共にゴム等の弾性部材で作られた接眼用部材１０４とを備える。
【００２３】
図２は、図１のファインダー装置１０の部分の構成を概略的に示す断面図であり、接眼用部材１０４が外された状態を示し、図３は、図２のファインダー装置１０の部分の斜視図である。
【００２４】
図２及び図３において、鏡筒部１００は、その内部に、視度調節レンズ１０７と、この視度調節レンズ１０７を保持する視度調節レンズ保持部材１１０と、固定レンズＡ１０８と、固定レンズＢ１０９と、固定レンズＡ１０８及び固定レンズＢ１０９を保持する固定レンズ保持部材１１１と、ファインダー装置の視度を調節するための視度調節レバー１０５と、視度調節レバー１０５と一体に成型された視度調節部材１１９と、視度調節部材１１９に刻まれていると共に、視度調節レンズ保持部材１１０から突出している図示しない突起物が嵌合するカム溝１１２と、図示しない撮像装置本体とファインダー装置１０とを電気的に接続するワイヤー１０６とを備える。
【００２５】
視度調節レバー１０５を回転させると一体である視度調節部材１１９も回転し、視度調節レンズ保持部材１１０とそれに保持される視度調節レンズ１０７をカム溝１１２の動きに合わせてレンズ光軸方向前後に移動させることができ、視度を調節することができる。
【００２６】
固定レンズ保持部材１１１によって保持されている固定レンズＡ１０８と固定レンズＢ１０９の空間は、固定レンズ保持部材１１１とその外側を取り巻く鏡筒１００によって密閉されているため異物が侵入しない構造となっているが、視度調節レバー１０５が摺動する際に鏡筒１００と擦れ合いゴミ等が発生し、視度調節レバー１０５の摺動部から鏡筒１００の内部へゴミが侵入し、視度調節レンズ１０７や固定レンズＡ１０８にゴミが付着する場合がある。
【００２７】
図３において、鏡筒１００は、視度調節レンズ１０７や固定レンズＡ１０８（光学部品）に付着したゴミを取り除くための開口部１０１を外装に備え、さらに、開口部１０１に嵌められて開口部１０１を遮蔽する遮蔽部材１０３を備える。
【００２８】
鏡筒部１１０の後端には、ユーザーがファインダー装置１０を覗く部位である接眼部１０２が取付けられており、この接眼部１０２及び鏡筒部１００の後端には、接眼部１０２側からゴム等の弾性部材で成型された接眼用部材１０４が着脱自在に嵌められている。接眼用部材１０４は弾性部材で成型されているため、接眼用部材１０４を変形させることで容易に接眼部１０２に着脱することができる。
【００２９】
装置本体９０は、ワイヤー１０６から送られてくる情報を処理するＬＣＤ基板１１３と、画像を表示することができるＬＣＤ１１５と、ＬＣＤ１１５を照らすバックライト１１４とを備える。ＬＣＤ基板１１３はワイヤー１０６を通して送られてくる情報を処理し、バックライト１１４を光らせ、ＬＣＤ１１５に画像を表示させるための回路を含む。ＬＣＤ１１５に表示された画像は固定レンズＢ１０９、固定レンズＡ１０８、視度調節レンズ１０７を通して接眼部１０２に結像され、ユーザーは接眼用部材１０４に目を当てて、表示される画像を見ることができる。
【００３０】
図４は、図３における鏡筒１００の部分拡大斜視図である。
【００３１】
図４において、鏡筒１００の開口部１０１には、鏡筒１００の周方向両側に平面で構成された一対の溝１１８が形成され、ここに遮蔽部材１０４が嵌められる。これにより開口部１０１を遮蔽することができる。
【００３２】
このとき、図１に示すように、接眼用部材１０４は遮蔽部材１０３の位置まで延びており、遮蔽部材１０３を溝部１１８に嵌め、接眼用部材１０４の弾力で鏡筒１００に押さえつけるので、遮蔽部材１０３及び鏡筒１００にロック機構等を設ける必要がなくなり、各部品の形状を簡略化しコストダウンをはかることができる。
【００３３】
また、遮蔽部材１０３は、図５に示すような爪部Ａ１１６や爪部Ｂ１１７を設け、鏡筒１００の溝部１１８にロック可能な構造にしてもよく（図６）、まず、爪部Ａ１１６を溝部１１８の裏面の一方にひっかけ、爪部Ｂ１１７を溝部１１８の裏面のもう一方に押し込むことにより、遮蔽部材１０３の爪部が溝部１１８の裏側に嵌り込み、遮蔽部材１０３を鏡筒１００の溝部１１８にロックすることができる。このように、遮蔽部材１０３を鏡筒１００にロックすることによって、誤って接眼用部材１０４を鏡筒１００から外してしまった時も、遮蔽部材が脱落するのを防止することができる。
【００３４】
また、図７に示すように、鏡筒１００と遮蔽部材１０３との間には隙間があり、外観上の見えが良くないばかりか、隙間からゴミやホコリが侵入し鏡筒１００内部の光学部品に付着する場合があり、さらに、誤ってファインダー装置１０を落下させてしまったとき等は、衝撃で遮蔽部材１０３が外れて開口部１０１から異物が侵入する場合もあるが、遮蔽部材１０３を接眼用部材１０４で覆うことにより、隙間を隠すことができ、外観上の見えを向上させることができるのに加え、隙間からのゴミやホコリ等の侵入を防ぐことができる。また、接眼用部材１０４が遮蔽部材１０３を覆うことにより、誤ってファインダー装置１０を落下させた場合等も、遮蔽部材１０３が鏡筒１００から脱落するのを防止することができる。
【００３５】
ファインダー装置１０にゴミ・ホコリ等の異物が侵入して、鏡筒１００の内部を清掃する場合は、まず、図３に示すように、接眼用部材１０４を接眼部１０２及び鏡筒１００の後端部から外し、次に遮蔽部材１０３を鏡筒１００より取り外す。なお、接眼用部材１０４が弾性部材で成型されているため、接眼用部材１０４を接眼部１０２から取り外さなくても、接眼用部材１０４を変形させて、遮蔽部材１０３を着脱することもできる。このとき、遮蔽部材１０３の部分は開口部１０１になっているので、ここからブロアで高圧の空気を流入し異物を吹き飛ばすか、綿棒等のような細い棒に溶剤をつけて、視度調節レンズの左側の面や固定レンズＡ１０８右側の面を清掃することができる。また、接眼用部材１０４が接眼部１０２に対して着脱可能であることにより、ブロア等の清掃作業を容易に行うことができる。なお、視度調節レンズ１０７の外側は接眼部１０２側に露出されているので、接眼部１０２を外せば通常時でも清掃することができる。
【００３６】
また、固定レンズＡ１０８の左側及び固定レンズＢ１０９は密閉された空間にあるので、固定レンズＡ１０８の左側及び固定レンズＢ１０９にはゴミ等が付着する恐れはない。このように本ファインダー装置では、固定レンズが収納されている部位はゴミ・ホコリ等が入らないよう密封し、視度調節レンズ等の可動レンズが収納されている部位はゴミ・ホコリ等が入っても、簡単に清掃することができるような構造となっている。
【００３７】
上記実施の形態では、鏡筒１００の開口部１０１に遮蔽部材１０４を嵌めているが、この遮蔽部１０４を設けず（図８）、接眼用部材１０４によって直接覆うようにしても（図９）、ゴミ・ホコリ等が鏡筒１００内部に侵入するのを防止することができる。接眼用部材１０４は弾性材料で成型され、接眼用部材１０４を変形させることで容易に接眼部１０２に着脱することができる。弾性材の弾力によって鏡筒１００に押さえつけられるので、開口部１０１を密閉することができる。また、図９に示すように接眼用部材１０４は開口部１０１を完全に覆い、ゴミやホコリ等の侵入を防ぐ。このような構成にすることにより遮蔽部材を削減することができ、さらに開口部の形状を単純にすることが可能なので、コストダウンをはかることができる。
【図面の簡単な説明】
【００３８】
【図１】本発明の撮像装置のファインダー装置の外観を示す斜視図である。
【図２】図１のファインダー装置の部分の構成を概略的に示す断面図であり、接眼用部材が外された状態を示す。
【図３】図２のファインダー装置の部分の斜視図である。
【図４】図３における鏡筒の部分拡大斜視図である。
【図５】図３における遮蔽部材の変形例の斜視図である。
【図６】図５の遮蔽部材が図４の開口部に嵌められた状態を示す断面図である。
【図７】図１のファインダー装置の部分の構成を概略的に示す斜視図であり、接眼用部材が外された状態を示す。
【図８】図１のファインダー装置の変形例の構成を概略的に示す部分斜視図であり、接眼用部材が外された状態を示す。
【図９】図１のファインダー装置の変形例の構成を概略的に示す部分斜視図であり、接眼用部材が嵌められた状態を示す。
【図１０】従来のファインダー装置の斜視図である。
【符号の説明】
【００３９】
１０  ファインダー装置
１００  鏡筒
１０１  開口部
１０２  接眼部
１０３  遮蔽部材
１０４  接眼用部材
１０７  視度調節レンズ
１０８  固定レンズＡ
１０９  固定レンズＢ
１１０  視度調節レンズ保持部材
１１６  爪部Ａ
１１７  爪部Ｂ
１１８  溝部
【図１】
2006030408.tif 000003
【図２】
2006030408.tif 000004
【図３】
2006030408.tif 000005
【図４】
2006030408.tif 000006
【図５】
2006030408.tif 000007
【図６】
2006030408.tif 000008
【図７】
2006030408.tif 000009
【図８】
2006030408.tif 000010
【図９】
2006030408.tif 000011
【図１０】
2006030408.tif 000012